(57)【要約】【課題】定形・非定形サイズのシート、及びシートの幅方向の寸法ばらつきに関わらず、シートに対する画像形成位置を一定にすることを可能とした画像形成装置の提供を目的とする。【解決手段】シートの幅方向の位置規制を行う１対の位置規制部材を有する給紙手段を備えた画像形成装置において、該給紙手段に積載される不定形サイズシートの幅寸法を入力する入力手段と、前記位置規制部材の位置を検知する位置検知センサと、前記位置検知センサにより検知された前記位置規制部材の幅方向位置情報又は操作手段から入力された不定形シートの幅寸法情報に基づき画像形成開始位置を演算する制御手段と、を有することを特徴とする画像形成装置。【選択図】        図１
2005035075.tif 000002
【特許請求の範囲】
【請求項１】
シートの幅方向の位置規制を行う１対の位置規制部材を有する給紙手段を備えた画像形成装置において、
該給紙手段に積載される不定形サイズシートの幅寸法を入力する入力手段と、前記位置規制部材の位置を検知する位置検知センサと、前記位置検知センサにより検知された前記位置規制部材の幅方向位置情報又は操作手段から入力された不定形シートの幅寸法情報に基づき画像形成開始位置を演算する制御手段と、を有することを特徴とする画像形成装置。
【請求項２】
前記１対の位置規制部材は一方の側板と他方の側板とにより構成され、前記一方の側板と前記他方の側板とは所定の位置を中心として幅方向のそれぞれ相反する方向に移動可能に配設され、
前記他方の側板と前記所定の位置との離間距離が前記一方の側板と前記所定の位置との離間距離より、少なくとも定形サイズシートの幅方向の許容最大ばらつき寸法値分長い離間距離差を有することを特徴とする請求項１に記載の画像形成装置。
【請求項３】
前記一方の側板は、前記一方の側板と前記他方の側板との離間距離を、定形シートの各サイズに幅方向の許容最大ばらつき寸法とを加えた距離に設定する位置決め部材を有し、
前記他方の側板は、前記一方の側板と前記他方の側板との離間距離を任意の距離に設定する別の位置決め部材を有することを特徴とする請求項２に記載の画像形成装置。
【請求項４】
前記他方の側板は、前記一方の側板に向かって付勢されるシート押圧部材を有し、該シート押圧部材は少なくとも前記許容最大ばらつき寸法のストロークを有することを特徴とする請求項２または３に記載の画像形成装置。
【請求項５】
シートの幅方向の位置規制を行う１対の位置規制部材を有する給紙手段を備えた画像形成装置の制御において、
シートの幅方向寸法を検知するシート幅検知センサが定形サイズ位置を検知した時は、所定の位置に対して一方の側板側に、定形シートの幅方向寸法の１／２値から余白寸法値を差し引いた距離、離間した位置を画像形成開始位置として画像形成を行い、
操作手段からシートの幅方向寸法を入力された時は、所定の位置に対して一方の側板側に、入力されたシート幅方向寸法の１／２値から一方の側板と所定位置との距離と、他方の側板と該所定位置との距離の差の１／２値と余白寸法値とを差し引いた距離、離間した位置を画像形成開始位置として画像形成を行うことを特徴とする画像形成装置の制御方法。
【発明の詳細な説明】
【０００１】
【発明の属する技術分野】
本発明は、画像形成装置とその制御方法に関するものである。
【０００２】
【従来の技術】
従来、画像形成装置の給紙装置として、シ−トに対する画像形成位置を一定にするため、シートの幅手・長手方向の側板とシートを積載する上下可動の底板とにより構成し、シートの最上面からローラにより１枚ずつ給紙を行なう給紙装置が知られいた。
【０００３】
このような給紙装置として、一方の側板に弾性体の押さえ板を配設し他方の側板にシートを当接させ、ジャム等の発生を防止すると共に幅方向の位置規制を行おうとした片側基準の給紙装置が提案された（例えば、特許文献１参照。）。
【０００４】
また、両側の側板を連動して幅方向に移動させ、シートを中央に位置規制しようとした中央基準の給紙装置が提案された（例えば、特許文献２参照。）。
【０００５】
【特許文献１】
特開平９−２３５０２４号公報（請求項１及び２  図１、２）
【０００６】
【特許文献２】
特開平７−２８５６８２号公報（請求項４  図４）
【０００７】
【発明が解決しようとする課題】
例えばＡ−３、Ａ−４、Ｂ−３、Ｂ−４といった定形サイズのシートには、規格となる長手・幅手両方向の規定寸法が有り、更にある程度の寸法ばらつき（公差）が規格として許容されており、例えばＡ４規格のシート幅寸法も公差内でばらついている。また、不定形シートはそもそも規定の幅寸法もなく、公差もない。
【０００８】
シートの端面位置を規制する１対の側板により各種サイズのシートを装置中央部にセットして給紙する特許文献２に記載されたような中央基準の給紙装置を備えた画像形成装置では、上記ばらつきのために装置中央位置から紙端までの距離が異なってしまい、画像形成の開始位置を装置中央から端部方向に一定距離離間した位置とした場合、シートに対する画像の位置がずれてしまうといった欠点があった。
【０００９】
シート端を基準とする特許文献１に記載されたような片側基準の給紙装置に於いては、一方の側板を各定形サイズの基準位置に固定し、他方の側板に弾性体の押さえ板を取り付けシートを一方の側板に当接させている。
【００１０】
この場合、最大ばらつきを持ったシートを収納するためには両者の側板間距離が少なくともシートの規格幅と最大公差寸法を加えた距離を離間した位置に配設する必要があり、
不定形サイズのシートをセットする場合は、シートの基準となる幅寸法がないため、上述したような各定形サイズの基準位置となる側板の基準位置がなく、両側から側板で中央部にシートを挟み込むこととなるが、一方の側板と装置中央間の距離及び他方の側板と装置中央間の距離が異なる場合は不定形シートの中心が装置中央からずれることとなる。
【００１１】
また、定形サイズのシートをセットする場合は一方の側板を各定形サイズの基準位置に固定し、シートを他方の側板に取り付けた弾性体で一方の側板に当接させるため、定形シートの中心と装置中央は一致する。
【００１２】
このように、定形シートと不定形シートでは、一方の側板と装置中央間の距離（不定形シートの中心と装置中央とのずれ）が異なってしまうため、画像形成開始位置を定形サイズと不定形サイズの場合で同じ位置としてしまうと、画像のシートに対する相対位置が変わってしまうといった欠点があった。
【００１３】
本発明は上記欠点に鑑み、定形・非定形サイズのシート、及びシートの幅方向の寸法ばらつきに関わらず、シートに対する画像形成位置を一定にすることを可能とした画像形成装置の提供を目的とする。
【００１４】
【課題を解決するための手段】
手段の説明の前に文言の説明を行う。
【００１５】
「幅方向」とは、シートの搬送方向に対し直角方向を指す。
本発明の上記目的は下記の各構成要素により達成される。
【００１６】
１、シートの幅方向の位置規制を行う１対の位置規制部材を有する給紙手段を備えた画像形成装置において、該給紙手段に積載される不定形サイズシートの幅寸法を入力する入力手段と、前記位置規制部材の位置を検知する位置検知センサと、前記位置検知センサにより検知された前記位置規制部材の幅方向位置情報又は操作手段から入力された不定形シートの幅寸法情報に基づき画像形成開始位置を演算する制御手段と、を有することを特徴とする画像形成装置。
【００１７】
２、前記１対の位置規制部材は一方の側板と他方の側板とにより構成され、前記一方の側板と前記他方の側板とは所定の位置を中心として幅方向のそれぞれ相反する方向に移動可能に配設され、前記他方の側板と前記所定の位置との離間距離が前記一方の側板と前記所定の位置との離間距離より、少なくとも定形サイズシートの幅方向の許容最大ばらつき寸法値分長い離間距離差を有することを特徴とする１に記載の画像形成装置。
【００１８】
３、前記一方の側板は、前記一方の側板と前記他方の側板との離間距離を、定形シートの各サイズに幅方向の許容最大ばらつき寸法とを加えた距離に設定する位置決め部材を有し、前記他方の側板は、前記一方の側板と前記他方の側板との離間距離を任意の距離に設定する別の位置決め部材を有することを特徴とする２に記載の画像形成装置。
【００１９】
４、前記他方の側板は、前記一方の側板に向かって付勢されるシート押圧部材を有し、該シート押圧部材は少なくとも前記許容最大ばらつき寸法のストロークを有することを特徴とする２または３に記載の画像形成装置。
【００２０】
５、シートの幅方向の位置規制を行う１対の位置規制部材を有する給紙手段を備えた画像形成装置の制御において、シートの幅方向寸法を検知するシート幅検知センサが定形サイズ位置を検知した時は、所定の位置に対して一方の側板側に、定形シートの幅方向寸法の１／２値から余白寸法値を差し引いた距離、離間した位置を画像形成開始位置として画像形成を行い、操作手段からシートの幅方向寸法を入力された時は、所定の位置に対して一方の側板側に、入力されたシート幅方向寸法の１／２値から一方の側板と所定位置との距離と、他方の側板と該所定位置との距離の差の１／２値と余白寸法値とを差し引いた距離、離間した位置を画像形成開始位置として画像形成を行うことを特徴とする画像形成装置の制御方法。
【００２１】
【発明の実施の形態】
以下に図面を参照して本発明について説明するが、本発明はこれに限定されるものではなく、本欄の説明は請求項の技術的範囲や用語の意義を限定されるものではない。
【００２２】
先ず始めに、本発明の画像形成装置の概要について説明する。
図１は本発明の実施の形態を示す画像形成装置の説明図である。
【００２３】
１は画像形成装置で、自動原稿搬送手段２の原稿給紙台２１上に載置された原稿Ｇが操作手段１０からの起動操作により、送り出しローラ２２の作動により一枚ずつ送り出され、レジストローラ２３により一旦停止されて先端が整えられた後、搬送ドラム２４に搬送され、ドラム面と一体に反時計方向に回転する過程で画像読取手段３により画像面の読取が行われ、しかる後ドラム面より分岐し排紙台２５に排出される。
【００２４】
前記の画像読取手段３においては原稿Ｇを照明する光源３１１とミラー３１２を備える第１ミラーユニット３１が前記の搬送ドラム２４の直下の位置で、通過する原稿画像を反射させ、更にミラー３２１とミラー３２２を備える第２ミラーユニット３２により原稿Ｇからの反射光を結像レンズ３３を介してライン状の撮像素子３４に導き結像させる。
【００２５】
また、画像読取手段３はプラテンガラス３５上に載置された原稿Ｇの画像情報を読み取ることも可能で、この場合、上述した第１ミラーユニットと第２ミラーユニットとが移動しながらプラテンガラス３５に載置された原稿Ｇの画像情報を読み取る。
【００２６】
光源３５１と、ミラー３５２、３５３、３５４とは、移動しながらプラテンガラス３５に載置された原稿Ｇの画像情報を読み取る状態を示している。
【００２７】
以上が、画像読取手段３である。
画像読取手段３において読取られた原稿Ｇの画像情報は画像処理手段７３にて後述する画像開始位置に関する処理が行われ、デジタル画像データとしてバッテリバックアップされたＲＡＭよりなる記憶手段７２に格納される。
【００２８】
画像形成のスタートにより画像形成手段４が作動開始して前記デジタル画像データが記憶手段７２より読み出されて画像書込手段４３に入力され、図示しないレーザ発光器から前記デジタル画像データに従って投射されたレーザビームがポリゴンミラー（符号なし）の回転作動により主走査方向にスキャンされ、帯電器４２により電位を付与された感光体ドラム４１上に原稿の画像データに応じた静電潜像を形成する。
【００２９】
前記静電潜像は現像手段４４により反転現像されてトナー像とされる。
手差し給紙手段２６、又は給紙手段５の給紙カセット５１、５２、５３により給紙されたシートＰは、搬送ローラ６１、６２で搬送され、タイミングローラ６３によりトナー像に同期して感光体ドラム４１の転写領域Ａに給送される。
【００３０】
前記トナー像は転写器４５により反対極性の電圧を印加されてシートＰに転写される。
【００３１】
転写処理後のシートＰは、除電器４７の作用により除電され、分離爪５０により感光体ドラム４１から分離し、定着手段４８に搬送され、加熱ローラ４８４と加圧ローラ４８５との圧着・加熱作用によりトナーが定着され、排紙トレイ５７に排出される。
【００３２】
又、感光体ドラム４１はシートＰを分離後クリーニング手段４９において残留トナーを除去されて次なる画像形成に向けての準備を完了する。
【００３３】
これらの動作は制御手段７１の指令に基づいて行われる。
図２は手差し給紙手段２６に配設されたシート収納部の概略図で、図３はシート収納部の部分断面概略図で、定形サイズのシートを収納している場合を示している。
【００３４】
図１の手差し給紙手段２６、給紙カセット５１、５２、５３、のシート収納部を、手差し給紙手段２６を例に取り図２、３を参照して説明する。なお、給紙カセット５１、５２、５３も手差し給紙手段２６と同様な機構を有している。
【００３５】
図２において、２６１はシートＰの載置台で、幅方向（図示Ｘ方向）のそれぞれ相反する方向に移動する位置規制部材であるところの一方のサイドガイド２６２と他方のサイドガイド２６３とを有している。
【００３６】
他方のサイドガイド２６３にはシートＰを一方のサイド２６２側に押圧してシートＰを一方のサイドガイド２６２に当接させる押圧部材２６３Ｂを有している。
【００３７】
そしてシートＰは１対の両サイドガイドにより幅方向端を位置規制された状態で、送り出しローラ２６４により画像形成装置内に給紙される。
【００３８】
また、図３において、給紙手段２６の載置台２６１にはサイドガイドを移動可能に支持する案内板２６５が固定されており、一方のサイドガイド２６２と他方のサイドガイド２６３とが案内板２６５により案内されて幅方向に移動可能となっている。
【００３９】
一方のサイドガイド２６２と他方のサイドガイド２６３とにはそれぞれ対向する方向に延びる歯付き板２６６Ａ、２６６Ｃが平行して配設され、両サイドガイドの移動によりそれぞれ移動する。
【００４０】
歯付き板２６６Ａと２６６Ｃの歯部２６６Ｂと２６６Ｄとは、案内板２６５に固定された支軸２６７Ａに回転可能に配設された歯車２６７の歯２６７Ｂと噛み合い、所謂ラック・ピニオンを形成している。
【００４１】
これにより、オペレータが１対の両サイドガイドの内、一方を移動すると他方も相反する方向に同距離移動するようになっている。
【００４２】
また、シート当接面２６３Ａから、歯車２６７と歯付き板２６６Ｃとの接点（所定の位置であるところの支軸２６７Ａの中心）までの距離Ｗ２は、シート当接面２６２Ａから歯車２６７と歯付き板２６６Ａとの接点（所定の位置であるところの支軸２６７Ａの取り付け位置）までの距離Ｗ１に余裕寸法ΔＷを加えた距離に設定されている。
【００４３】
即ち、前記他方の側板と前記所定の位置との離間距離が前記一方の側板と前記所定の位置との離間距離より、少なくとも定形サイズシートの幅方向の許容最大ばらつき寸法値分長い離間距離差を有している。
【００４４】
ここで余裕寸法は、許容ばらつき幅内の様々な幅のシートを容易にセットできるように定形サイズシートの幅方向の許容最大ばらつき寸法と等しいか、僅か（０〜２ｍｍ、好ましくは０〜１ｍｍ）広い寸法とする。
【００４５】
即ち、他方のサイドガイド２６３は支軸２６７Ａを中心に一方のサイドガイド２６２より余裕寸法ΔＷ離れた位置を相反する方向に移動する。
【００４６】
他方のサイドガイド２６３には余裕寸法ΔＷ以上のストロークを有し、シートＰを一方のサイド２６２側に押圧してシートＰを一方のサイドガイド２６２に当接させる押圧部材２６３Ｂを有している。
【００４７】
ここで、押圧部材２６３Ｂのストローク及びシート当接面とシート端面の間隙を少なくするため余裕寸法ΔＷは少ない方が良く、定形サイズシートの最大公差寸法、或いは使用される定形サイズシートの幅寸法の実際のばらつきが小さい場合は実際の最大ばらつき値でも良く、或いは実際のばらつきが大きい場合は最大ばらつき値に更に余裕を加えた値でも良い。
【００４８】
一方のサイドガイド２６２には歯付き板２６６Ａと平行に位置決め板２６８が配設されており、位置決め板２６８には各定形サイズのシート幅に応じた位置に複数の凹部２６８Ａが設けられている。
【００４９】
そして、一方のサイドガイド２６２を移動すると、凹部２６８Ａに位置決め部材２６９がバネ等の弾性部材２６９Ａの付勢力により矢示方向に突出して、任意の定形サイズのシートを当該の定形サイズの位置決め位置に位置決めすることを可能としている。
【００５０】
シートサイズセンサＳ１は、凹部２６８Ａ（各サイズの設定位置）に位置決め部材２６９がバネ等の弾性部材２６９Ａの付勢力により突出した位置に対応する定形シートサイズ情報（例えばＡ４横置き、Ｂ４縦置き等）を検知し出力する。
【００５１】
ここで、操作手段の表示部に表示された使用シートサイズスイッチをオペレータがタッチして、定形サイズ（例えばＡ４横置き、Ｂ４縦置き等）情報を入力するようにしても良い。
【００５２】
ここで、複数の凹部２６８Ａに位置決め部材２６９が突出し位置決め状態となっている時、一方のサイドガイドのシート当接面２６２Ａと所定の位置である支軸２６７Ａの中心との距離Ｗ１が定形シートの各サイズの幅規格寸法値の１／２となる位置に複数の凹部２６８Ａが穿設されている。
【００５３】
また、歯部２６６Ｂと２６６Ｄに対し歯車２６７の歯２６７Ｂの噛み合い位置を調整し、一方のサイドガイドのシート当接面２６２Ａと他方のサイドガイドのシート当接面２６３Ａとの内法寸法Ｗ３が各定形サイズのシートの幅方向の寸法に余裕寸法ΔＷを加えた寸法となるような距離となるようになっている。
【００５４】
他方のサイドガイド２６３には歯付き板２６６Ｃと平行に位置決め板２７０が配設されており、位置決め板２７０には細かい三角形状をした歯部２７０Ａが設けられている。
【００５５】
そして、歯部２７０Ａと対向する位置に歯部２７０Ａと噛み合う位置決め部材２７１を有し、位置決め部材２７１はバネ等の弾性部材２７１Ａにより位置決め板２７０側に付勢されて両者が噛み合い、他方のサイドガイド２６３を任意の位置で位置決めすることを可能としている。
【００５６】
従って、この噛み合いを解除し、両サイドガイドを中央寄りに寄せて、例えば不定形のシートＰの両端面を両サイドガイドに当接させてシートを挟み込むようにすることも可能となっている。
図４はシート収納部の部分断面概略図で、不定形サイズのシートを収納している場合を示している。
【００５７】
図３に示した定形の場合と異なる部分について説明を行う。
両サイドガイド或いは片方のサイドガイドを中央寄りにセットすることにより、サイドガイドのシート当接面２６２Ａと、２６３Ａはシートの端面に当接し、押圧部材２６３ＢはシートＰを一方のサイドガイド２６２に押圧しながら他方のサイドガイド２６３の内部に押し戻される。
【００５８】
位置決め部材２６９は定形サイズ位置から外れているため、凹部２６８Ａに突出せず平坦部に当接している。
【００５９】
この時シートサイズセンサＳ１は位置決め部材２６９を検知して、不定形サイズシート情報を出力している。
【００６０】
位置決め板２７０の歯部２７０Ａは、シート当接面２６２Ａとシート当接面２６３Ａとの内法寸法Ｗ６が不定形サイズのシート幅と一致する位置で位置決め部材２７１の歯２７１Ｂと噛み合っている。
【００６１】
これにより位置決め部材２６９では位置決めされずに、位置決め部材２７１により位置決めされている。
【００６２】
ここで、シート当接面２６２Ａとシート当接面２６３Ａとの内法寸法Ｗ６が不定形サイズのシート幅と一致する位置で歯部２７０Ａと歯２７１Ｂが噛み合って位置決め状態となっている時、一方のサイドガイドのシート当接面２６２Ａと所定の位置である支軸２６７Ａの中心との距離Ｗ４は不定形シートの幅寸法値の１／２から前述した余裕寸法ΔＷの１／２を差し引いた距離となり、他方のサイドガイドのシート当接面２６３Ａと所定の位置である支軸２６７Ａの取り付け位置との距離Ｗ５は、不定形シートの幅寸法値の１／２に前述した余裕寸法ΔＷの１／２を加えた距離となる。
【００６３】
以上の構成により、定形サイズのシートを載置台２６１にセットしてサイドガイドを当該の定形サイズ位置にセットする場合は、シート当接面２６２Ａから、歯車２６７と歯付き板２６６Ａとの接点（所定の位置であるところの支軸２６７Ａの中心）までの距離Ｗ１は、当該定形シート幅の１／２の距離となり、
不定形サイズのシートを載置台２６１にセットしてサイドガイドを中央寄りの位置にセットする場合は、シート当接面２６２Ａから、歯車２６７と歯付き板２６６Ａとの接点（所定の位置であるところの支軸２６７Ａの中心）までの距離Ｗ４は、当該定形シート幅の１／２の距離に余裕寸法ΔＷの１／２を差し引いた距離となる。
【００６４】
そして、定形サイズと不定形サイズで仮に同一の幅寸法を持っている場合でも、定形サイズと不定形サイズではサイドガイドによるシート位置合わせ位置が異なるため、上述したようにシート当接面２６２Ａから、歯車２６７と歯付き板２６６Ａとの接点（所定の位置であるところの支軸２６７Ａの中心）までの距離は余裕寸法ΔＷの１／２距離が異なり、画像形成開始位置を変化させない場合はシート端から画像形成位置端迄の距離がずれるため、後述する画像形成開始位置をずらす制御を行う。
【００６５】
図５は本発明の画像形成に係るブロック図である。
３は画像読取手段で、原稿の画像を読み込み、制御手段７１は原稿の画像データを一旦記憶手段７２に記憶させる。
【００６６】
７３は画像処理手段で、制御手段７１からの画像形成開始位置情報により、記憶手段７２から読み出された原稿の画像データを所定量幅方向に移動した（補正した）画像出力データを生成する。
【００６７】
４３は画像書込手段で、補正した画像出力データに基づき半導体レーザ光を変調・スキャンして感光体を露光して、感光体上の補正した位置に画像の潜像を形成する。
【００６８】
制御手段７１は、シートが定形シートであるか非定形シートであるか、及び定形シートの幅寸法情報（例えばＡ４横置き、Ｂ４縦置き等）をシートサイズセンサＳ１に検知させ、不定サイズシートを検知した場合は更に操作手段１０から入力された不定形サイズシートの幅寸法を読み込ませ、検知した定形幅寸法または読み込んだ不定形サイズシート幅寸法に基づき、幅方向の画像形成開始位置の移動量を演算し、移動量を含む幅方向移動指令を画像処理手段７３に出力する。
【００６９】
図６は本発明の画像形成に係るフロー図である。
ステップ１  制御手段７１は、シートサイズセンサＳ１から定形／不定形情報を読み込みステップ２に歩進する。
【００７０】
ステップ２  制御手段７１は、定形の場合（Ｙ）はステップ３に歩進し、不定形の場合（Ｎ）はステップ６にジャンプする。
【００７１】
ステップ３  制御手段７１は、シートサイズセンサＳ１から定形シートサイズ情報（例えばＡ３横置き）を読み込みステップ４に歩進する。
【００７２】
ステップ４  制御手段７１は、定形シートサイズ情報（例えばＡ３横置き）に基づき、定形シートサイズの幅寸法（例えばＡ３の長手方向寸法）ＷＡ３の１／２の値から予め設定されている余白寸法ＷＤを差し引いた値ＷＰ１を装置中央からの画像形成開始位置距離として演算し（ＷＤ＝（ＷＡ３／２）−ＷＤ）、ステップ５に歩進する。
【００７３】
ステップ５  制御手段７１は、演算した画像形成開始位置距離ＷＰ１値を画像処理手段７３に出力し、画像処理手段７３に画像読取手段３から入力された原稿の画像データを、装置中央から画像形成開始位置距離ＷＰ１離間した位置を画像形成開始位置とする画像出力データとして生成させ、生成した画像出力データに基づき周知の電子写真プロセスにより画像形成を行い、シート上にシート中央からＷＰ１値分離間した位置を画像形成開始位置とした出力画像を得、エンドにジャンプする。
【００７４】
ステップ６  制御手段７１は、操作手段のテンキー等から入力される不定形サイズのシートの幅寸法（例えばＰｍｍ）を読み込みステップ７に歩進する。
【００７５】
ステップ７  制御手段７１は、入力された不定形サイズシートの幅寸法（例えばＰｍｍ）情報に基づき、不定形シートサイズの幅寸法（例えばＰｍｍ）の１／２の値から予め設定されている余白寸法ＷＤを差し引き、更に前述した余裕寸法ΔＷ（前述した離間距離差）の１／２を差し引いた値ＷＰ２を装置中央からの画像形成開始位置距離として演算（ＷＰ２＝（Ｐ／２）−ＷＤ−（ΔＷ／２））し、ステップ８に歩進する。
ステップ８  制御手段７１は、演算した画像形成開始位置距離ＷＰ２値を画像処理手段７３に出力し、画像処理手段７３に画像読取手段３から入力された原稿の画像データを、装置中央から画像形成開始位置距離ＷＰ２離間した位置を画像形成開始位置とする画像出力データとして生成させ、生成した画像出力データに基づき周知の電子写真プロセスにより画像形成を行い、シート上にシート中央からＷＰ２値分離間した位置を画像形成開始位置とした出力画像を得、エンドにジャンプする。
【００７６】
以上説明したように、本発明により定形・非定形サイズのシート、及びシートの幅方向の寸法ばらつきに関わらず、シートに対する画像形成位置を一定にするという効果を奏することができる。
【００７７】
【発明の効果】
本発明によれば次のような効果を得ることが出来る。すなわち、
定形・非定形サイズのシート、及びシートの幅方向の寸法ばらつきに関わらず、シートに対する画像形成位置を一定に保つ画像形成方法が提供できるという効果を奏する。
【図面の簡単な説明】
【図１】本発明の実施の形態を示す画像形成装置の説明図である。
【図２】手差し給紙手段２６に配設されたシート収納部の概略図である。
【図３】シート収納部の部分断面概略図で、定形サイズのシートを収納している場合を示している。
【図４】シート収納部の部分断面概略図で、不定形サイズのシートを収納している場合を示している。
【図５】本発明の画像形成に係るブロック図である。
【図６】本発明の画像形成に係るフロー図である。
【符号の説明】
１０  操作手段
２６  手差し給紙手段
２６２  一方のサイドガイド
２６３  他方のサイドガイド
２６３Ｂ  押圧部材
２６６Ａ、２６６Ｃ  歯付き板
２６６Ｂ、２６６Ｄ  歯部
２６７  歯車
２６８、２７０  位置決め板
２６９、２７１  位置決め部材
Ｓ１  シートサイズセンサ
【図１】
2005035075.tif 000003
【図２】
2005035075.tif 000004
【図３】
2005035075.tif 000005
【図４】
2005035075.tif 000006
【図５】
2005035075.tif 000007
【図６】
2005035075.tif 000008